(57)【要約】【課題】  簡単に顧客が望むプリントをプリント装置に作製させることができる、プリント受付装置を提供する。【解決手段】  プリント受付装置１０は、顧客によって与えられる指示に従って動作するセルフ型のプリント受付装置である。タッチパネル式ディスプレイ１８に表示される表示用基本画像および表示用補正画像のうち表示用補正画像が選択された場合、原画像データに基づく画像に所定の補正が施された補正画像のプリントを作製するという補正画像プリント設定データがＣＰＵ１２ａによって取得される。また、タッチパネル式ディスプレイ１８に表示される表示用基本画像および表示用補正画像のうち表示用基本画像が選択された場合、原画像データに基づく画像に基本補正のみを施した基本画像のプリントを作製するという基本画像プリント設定データがＣＰＵ１２ａによって取得される。【選択図】      図４
2005326476.tif 000002
【特許請求の範囲】
【請求項１】
取得した原画像データに基づく画像のプリント注文を受け付け、プリント装置にプリントを作製させるためのプリント受付装置であって、
前記原画像データに基づく表示用基本画像データと当該表示用基本画像データに所定の補正を施すことによって表示用補正画像データとを生成する画像処理手段、
前記表示用基本画像データに対応する表示用基本画像と前記表示用補正画像データに対応する表示用補正画像とを表示する表示手段、
前記表示手段に表示される前記表示用基本画像および前記表示用補正画像のうち任意の表示用画像を選択する指示を与えるための入力手段、および
前記入力手段からの指示に従って選択された前記任意の表示用画像が前記表示用基本画像である場合には前記原画像データに基づく基本画像のプリントを作製するという設定データを取得し、前記任意の表示用画像が前記表示用補正画像である場合には前記表示用基本画像データに前記所定の補正を施した前記表示用補正画像データに基づく補正画像のプリントを作製するという設定データを取得する設定データ取得手段を備える、プリント受付装置。
【請求項２】
前記所定の補正はコントラスト調整、色濃度調整、色調調整の少なくとも１つである、請求項１に記載のプリント受付装置。
【請求項３】
前記設定データ取得手段によって取得された前記設定データはプリント注文を受け付けた全ての原画像データに関連付けられる、請求項１または２に記載のプリント受付装置。
【請求項４】
前記表示用基本画像および前記表示用補正画像を前記表示手段に表示させるべき任意の原画像データをプリント注文を受け付けた全ての原画像データの中から前記入力手段からの指示に従って選択する選択手段をさらに備える、請求項１から３のいずれかに記載のプリント受付装置。
【発明の詳細な説明】
【技術分野】
【０００１】
この発明は、プリント受付装置に関し、より特定的には、取得した原画像データに基づく画像のプリント注文を顧客の指示に従って受け付け、プリント装置にプリントを作製させるためのセルフ型のプリント受付装置に関する。
【背景技術】
【０００２】
近年、ＤＰＥ店等では、顧客によって持ち込まれるＣＤ−Ｒやデジタルカメラ用メディア等の各種メディアから原画像データを取得し、当該原画像データに基づく画像のプリント注文を受け付けるサービスが普及しつつある。メディアから取得した原画像データは、たとえばデジタル露光式プリント装置に入力され、当該原画像データに基づく画像が印画紙等のプリント材料に露光（形成）されることによって、プリントが作製される。プリントの画像特性についてコントラストや色調等の顧客からの要望がある場合、顧客が望むプリントを作製するためにデジタル露光式プリント装置の露光条件等が調整される。
【０００３】
しかし、顧客の要望に応じて露光条件を調整し、プリントの画像特性を補正することでプリント作製の作業負担が大きくなりひいてはプリントのコストが上昇してしまうという問題があった。この種の問題を解決するために、たとえば特許文献１には、顧客毎の画像特性の好みに応じたプロファイルデータを予め登録しておき、取得した原画像データに各顧客のプロファイルデータに基づく補正を施し、補正画像データを生成する技術が開示されている。補正画像データに基づく画像を印画紙に形成することによって、デジタル露光式プリント装置の露光条件を調整せずとも顧客が望むプリントを作製でき、プリント作製の作業負担が大きくなることもなくプリントのコストの上昇を抑えることができる。
【特許文献１】特開２００１−１３３９１１号
【発明の開示】
【発明が解決しようとする課題】
【０００４】
しかし、特許文献１の技術では、ＤＰＥ店において、各顧客毎にプロファイルデータを多数作成する作業が必要となる上に、作成した各顧客毎の多数のプロファイルデータを管理するために労力を要するという問題があった。
【０００５】
また、プロファイルデータに基づく補正を原画像データに施してプリントを作製しても顧客の好みや感覚は一定ではなく、その時々に応じて好みや感覚が変わることもあり、常に顧客が望むプリントを作製することは難しかった。
【０００６】
それゆえに、この発明の主たる目的は、簡単に顧客が望むプリントをプリント装置に作製させることができる、プリント受付装置を提供することである。
【課題を解決するための手段】
【０００７】
上述の目的を達成するために、請求項１に記載のプリント受付装置は、取得した原画像データに基づく画像のプリント注文を受け付け、プリント装置にプリントを作製させるためのプリント受付装置であって、原画像データに基づく表示用基本画像データと当該表示用基本画像データに所定の補正を施すことによって表示用補正画像データとを生成する画像処理手段、表示用基本画像データに対応する表示用基本画像と表示用補正画像データに対応する表示用補正画像とを表示する表示手段、表示手段に表示される表示用基本画像および表示用補正画像のうち任意の表示用画像を選択する指示を与えるための入力手段、および入力手段からの指示に従って選択された任意の表示用画像が表示用基本画像である場合には原画像データに基づく基本画像のプリントを作製するという設定データを取得し、任意の表示用画像が表示用補正画像である場合には表示用基本画像データに所定の補正を施した表示用補正画像データに基づく補正画像のプリントを作製するという設定データを取得する設定データ取得手段を備える。
【０００８】
請求項２に記載のプリント受付装置は、請求項１に記載のプリント受付装置において、所定の補正はコントラスト調整、色濃度調整、色調調整の少なくとも１つであることを特徴とする。
【０００９】
請求項３に記載のプリント受付装置は、請求項１または２に記載のプリント受付装置において、設定データ取得手段によって取得された設定データはプリント注文を受け付けた全ての原画像データに関連付けられることを特徴とする。
【００１０】
請求項４に記載のプリント受付装置は、請求項１から３のいずれかに記載のプリント受付装置において、表示用基本画像および表示用補正画像を表示手段に表示させるべき任意の原画像データをプリント注文を受け付けた全ての原画像データの中から入力手段からの指示に従って選択する選択手段をさらに備えることを特徴とする。
【００１１】
請求項１に記載のプリント受付装置では、顧客自身がプリント受付装置を操作して、表示手段に表示される表示用基本画像と表示用補正画像とを比較しその時々の好みや感覚に応じて画像を選択してプリント注文をすることができ、ＤＰＥ店において顧客の好みに応じたプロファイルデータを予め作成し登録しておく必要もなく、簡単に顧客が望むプリントをプリント装置に作製させることができる。
【００１２】
請求項２に記載のプリント受付装置では、表示手段に表示される表示用補正画像は、コントラスト調整、色濃度調整、色調調整のうち少なくとも１つの補正を表示用基本画像に施した画像となる。このように、基本的な画像特性に関する補正が施された表示用補正画像を表示手段に表示することによって、好みの画像を表示用基本画像と表示用補正画像とから選択させる際に、顧客に迷わせることなく、効率よくプリント注文を行わせることができる。
【００１３】
請求項３に記載のプリント受付装置では、設定データ取得手段によって取得した設定データがプリント注文を受け付けた全ての画像に対応する原画像データにそれぞれ関連付けられる。これによって、プリント注文すべき全ての画像毎に表示用基本画像と表示用補正画像とを確認し好みの画像を選択する必要がなく、顧客に効率よくプリント注文を行わせることができる。
【００１４】
請求項４に記載のプリント受付装置では、取得した全ての原画像データの中から入力手段の指示に従って選択手段によって選択された任意の原画像データに基づく表示用基本画像および表示用補正画像を表示手段に表示する。したがって、顧客自身がプリント注文すべき画像の中から最も確認したいと考える画像を自由に選択し、その画像について表示用基本画像および表示用補正画像を表示手段に表示させることができ、顧客の満足度を向上させることができる。
【発明の効果】
【００１５】
この発明によれば、簡単に顧客が望むプリントをプリント装置に作製させることができる。
【発明を実施するための最良の形態】
【００１６】
以下、図面を参照して、この発明の実施の形態について説明する。この発明の一実施形態のプリント受付装置１０は、取得した原画像データに基づく画像のプリント注文を顧客の指示に従って受け付け、プリント装置にプリントを作製させるためのセルフ型のプリント受付装置である。プリント受付装置１０は、たとえば、プリントの作製サービスを提供するＤＰＥ店等に設置される。
【００１７】
図１および図２を参照して、プリント受付装置１０は、コントローラ１２を含む。
図２に示すように、コントローラ１２は、バス１４で相互に接続されたＣＰＵ１２ａ、ＲＯＭ１２ｂ、ＲＡＭ１２ｃを含む。コントローラ１２には、各種プログラムやデータを記憶するハードディスクドライブ（ＨＤＤ：ハードディスクを含む）１６と画像やテキストを表示するタッチパネル式ディスプレイ１８とが接続される。
【００１８】
ＣＰＵ１２ａは、ＲＯＭ１２ｂやＨＤＤ１６等に記憶された各種のプログラムを実行し、図示しないＩ／Ｏインタフェースを介してコントローラ１２に接続されるプリント受付装置１０の各構成要素に指示を与え、プリント受付装置１０の動作を制御する。この実施形態では、ＣＰＵ１２ａが画像処理手段、設定データ取得手段、および選択手段としても機能する。
【００１９】
ＲＯＭ１２ｂは、起動用プログラム等を記憶している。起動用プログラムは、プリント受付装置１０の電源投入時にＣＰＵ１２ａによって実行される。これによって、ＨＤＤ１６に記録されているオペレーティングシステム（ＯＳ）等のプログラムがＲＡＭ１２ｃにロードされ、各種の処理や制御が実行可能となる。
【００２０】
ＲＡＭ１２ｃには、プリント受付装置１０を制御するプログラムが展開され、このプログラムによる処理結果、処理のための一時データ、タッチパネル式ディスプレイ１８の画面上に表示するための表示用データ（テキストデータ、画像データ等）等を保持し、ＣＰＵ１２ａの作業領域として使用される。ＲＡＭ１２ｃ上に展開された表示用データは、タッチパネル式ディスプレイ１８に伝達され、タッチパネル式ディスプレイ１８は、その画面上に表示用データに対応する表示内容（テキスト、画像等）を表示し、たとえば図５や図６に示すような画面を表示する。
【００２１】
ＨＤＤ１６は、ＣＰＵ１２ａの指示に従って、プログラム、制御用データ、テキストデータ、画像データ等を、ハードディスクに対して書き込みまた読み出す。この実施形態では、ＨＤＤ１６内のハードディスクに、図４に示す動作を行うためのプログラムが格納され、当該プログラムをＣＰＵ１２ａが読み出して実行することにより処理が実行される。
【００２２】
タッチパネル式ディスプレイ１８は、たとえば液晶ディスプレイ等によって構成され、画面上に表示されるボタンイメージ等の画像に顧客が触れることによって、データや指示がコントローラ１２に与えられる。この実施形態では、タッチパネル式ディスプレイ１８が表示手段および入力手段に該当する。
【００２３】
また、コントローラ１２には、ＣＤ−ＲＷドライブ２０、ＭＯドライブ２２、メディアリーダ２４、受付証プリンタ２６およびネットワークインターフェース２８が接続される。
【００２４】
ＣＤ−ＲＷドライブ２０は、ＣＰＵ１２ａの指示に従って、ＣＤ−Ｒ３０あるいはＣＤ−ＲＷ３０ａに記録されているデータを読み出しまたＣＤ−ＲＷ３０ａにデータを書き込む。同様に、ＭＯドライブ２２は、ＣＰＵ１２ａの指示に従って、ＭＯ３２に記録されているデータを読み出しまたＭＯ３２にデータを書き込む。ＣＤ−ＲＷドライブ２０は、たとえば、顧客によって持ち込まれたＣＤ−Ｒ３０あるいはＣＤ−ＲＷ３０ａから画像データを読み出すために用いられる。ＭＯドライブ２２についても同様である。
【００２５】
なお、ＣＤ−ＲＷドライブ２０によって、ＣＤ−ＲＯＭに記憶されるデータを読み出し可能なことは言うまでもない。
【００２６】
メディアリーダ２４は、顧客によって持ち込まれたデジタルカメラ用メディア３４から画像データを読み出すために用いられる。メディアリーダ２４にデジタルカメラ用メディア３４がセットされることで、ＣＰＵ１２ａはデジタルカメラ用メディア３４から画像データを読み出し可能となる。
【００２７】
また、コントローラ１２には、携帯電話接続ケーブルを介してカメラ付携帯電話３６が接続可能である。カメラ付携帯電話３６がコントローラ１２に接続されることで、ＣＰＵ１２ａはカメラ付携帯電話３６に保存されている画像データを読み出し可能となる。
【００２８】
各種メディア（ここでは、ＣＤ−Ｒ３０あるいはＣＤ−ＲＷ３０ａ、ＭＯ３２、デジタルカメラ用メディア３４）あるいはカメラ付携帯電話３６から読み出された画像データは、ＲＡＭ１２ｃに原画像データとして保持される。つまり、顧客によって持ち込まれた各種メディアあるいはカメラ付携帯電話３６に記録される画像データが原画像データとして取得される。
【００２９】
なお、各種メディアあるいはカメラ付携帯電話３６から読み出される画像データのファイル形式は特に限定されず、ＧＩＦ形式、ＪＰＥＧ形式、ＢＭＰ形式、ＴＩＦＦ形式等のいずれのファイル形式であっても画像データを読み出すことができる。
【００３０】
さらに、コントローラ１２には、フラットベッドスキャナ３８が接続可能である。コントローラ１２にフラットベッドスキャナ３８が接続されることで、たとえばプリント等に形成されるデータ化されていない画像を画像データとして読み取り可能となる。各種メディアあるいはカメラ付携帯電話３６から読み出された画像データと同様に、フラットベッドスキャナ３８によって読み取られた画像データは、ＲＡＭ１２ｃに原画像データとして保持される。
【００３１】
取得された原画像データは、たとえば、ＣＰＵ１２ａの指示に従って、ＲＡＭ１２ｃ上で画像処理が施された後にプリント受付装置１０と一体的に連結されるセルフプリント装置１００（図３参照）に入力される。
【００３２】
セルフプリント装置１００は、タッチパネル式ディスプレイ１８を介して与えられる顧客の指示に従って、プリント受付装置１０から出力された画像データに基づく画像を用紙に形成し、プリント（セルフプリント）を作製する。プリント受付装置１０にセルフプリント装置１００が接続されることによって、その場でプリントを作製し、顧客に提供することができる。セルフプリント装置１００としては、たとえば、固形カラーインクを塗布したインクリボンにプリンタヘッドによって熱を加えてカラーインクを昇華させ、ポリエステル系樹脂でコートされた専用の用紙にカラーインクを付着させる昇華型カラープリンタが用いられる。セルフプリント装置１００においては、Ｌ版など通常のプリントの他にも、シール用紙に画像を形成することでシールプリントを作製することもできる。
【００３３】
受付証プリンタ２６は、図示しない用紙供給マガジンを含み、用紙供給マガジンから供給される用紙に種々の情報を印刷し、受付証４０を発行するため用いられる。受付証４０には、たとえば、端末ＩＤ等のプリント受付装置１０の装置情報、プリントサイズとプリント枚数とを含むプリント注文情報、プリント料金情報、顧客の氏名および連絡先等の顧客情報、ＤＰＥ店の名称および連絡先等の店舗情報等が印刷される。受付証４０は、顧客およびＤＰＥ店の控えとして用いられ、たとえば、顧客にプリントを引き渡す際の照合手段となる。
【００３４】
なお、受付証プリンタ２６の印刷方式は特に限定されず、受付証プリンタ２６として、たとえば、サーマルプリンタやドットインパクトプリンタ等を用いることができる。
【００３５】
ネットワークインターフェース２８は、ネットワーク２００に接続されており、ネットワーク２００経由で他の装置とのデータの送受信あるいはプログラムやデータのダウンロード（アップロード）をＣＰＵ１２ａの指示に従って行うために用いられる。
【００３６】
具体的に、図３をも参照して、プリント受付装置１０は、ネットワーク２００を介してデジタル露光式プリント装置３００に接続される。プリント受付装置１０から送信された画像データは、ネットワーク２００を経由してデジタル露光式プリント装置３００のコントローラ３０２に入力される。ネットワーク２００の通信プロトコルとしては、たとえばＴＣＰ／ＩＰ通信プロトコル等が用いられる。
【００３７】
デジタル露光式プリント装置３００は、ネットワーク２００経由でコントローラ３０２に入力された画像データに基づく画像を図示しないデジタル露光ヘッドによって銀塩印画紙に露光（形成）し、露光済み銀塩印画紙に現像および乾燥処理を施すことによって銀塩プリントを作製する。デジタル露光式プリント装置３００によれば、セルフプリント装置１００によって作製されるセルフプリントよりも高品質（高画質）な銀塩プリントを作製することができる。
【００３８】
なお、ネットワーク２００は、１つのＤＰＥ店内でプリント受付装置１０とデジタル露光式プリント装置３００とを接続するＬＡＮ（Local Area Network）であってもよいし、インターネットを経由して複数のＤＰＥ店間でプリント受付装置１０とデジタル露光式プリント装置３００とを接続するＷＡＮ（Wide Area Network）であってもよい。ＷＡＮによるネットワーク２００を構築することによって、デジタル露光式プリント装置３００が設置されていないＤＰＥ店のプリント受付装置１０から他のＤＰＥ店のデジタル露光式プリント装置３００に画像データを送信することができる。
【００３９】
また、ネットワーク２００を介して複数のプリント受付装置１０を接続し、複数のプリント受付装置１０の間でデータの送受信を行うこともできる。
【００４０】
ついで、図４を参照して、上述のプリント受付装置１０のプリント注文受け付け処理の一例について説明する。ここでは、顧客によって持ち込まれたＣＤ−Ｒ３０（ＣＤ−ＲＷ３０ａ）から原画像データを取得し、プリント注文を受け付ける場合について説明する。
まず、顧客によって、タッチパネル式ディスプレイ１８に表示される図示しないサービス選択画面上でプリント注文ボタンが押されることで、ＣＰＵ１２ａが注文番号データを取得し、当該注文番号データをＲＡＭ１２ｃに保持する（ステップＳ１）。
【００４１】
つづいて、顧客によって、プリントサイズが入力された後に、ＣＤ−ＲＷドライブ２０にＣＤ−Ｒ３０がセットされることで、ＣＤ−Ｒ３０に記録される複数の画像データが複数の原画像データとしてＲＡＭ１２ｃに保持される（ステップＳ３）。入力されたプリントサイズに対応するプリントサイズデータは、各原画像データと関連付けられ、ＲＡＭ１２ｃに保持される。
【００４２】
つづいて、ＣＰＵ１２ａの指示に従って、ＨＤＤ１６から基本補正プログラムを含む画像処理プログラムが読み出され、ＲＡＭ１２ｃに保持される複数の原画像データにそれぞれ基づく複数の表示用基本画像データが生成される（ステップＳ５）。
ステップＳ５では、ＣＰＵ１２ａによって、原画像データにノイズ除去等の基本補正と表示用画像として表示するためのサムネイル化処理とが施され、表示用基本画像データが生成される。
【００４３】
つづいて、複数の表示用基本画像データにそれぞれ対応する複数の表示用基本画像を含む図示しないプリント枚数設定画面がタッチパネル式ディスプレイ１８に表示される。顧客によって、プリント枚数設定画面上で各表示用基本画像毎に作製するプリント枚数が設定されることで、各表示用基本画像毎のプリント枚数に対応するプリント枚数設定データが取得される（ステップＳ７）。プリント枚数設定データは、各表示用基本画像に対応する各原画像データにそれぞれ関連付けられ、ＲＡＭ１２ｃに保持される。
【００４４】
つづいて、プリント作製すべき画像に補正が必要か否かを顧客に判断させるための図示しない判断要求画面がタッチパネル式ディスプレイ１８に表示される。判断要求画面は、たとえば、補正ボタンと補正なしボタンとによって構成される。判断要求画面上で補正ボタンが押された場合（ステップＳ９でＹＥＳの場合）、つづいて、補正後の画像特性を確認したいと考える任意の画像（代表画像）を顧客に選択させるための代表画像選択画面４２（図５参照）がタッチパネル式ディスプレイ１８に表示される（ステップＳ１１）。
【００４５】
ステップＳ１１において、タッチパネル式ディスプレイ１８に表示される代表画像選択画面４２には、図５に示すように、表示用基本画像をボタンイメージとして表示する複数（ここでは８個）の選択ボタン４４が表示される。
【００４６】
なお、代表画像選択画面４２には、関連付けられるプリント枚数が「０」以外の原画像データに対応する表示用基本画像を含む選択ボタン４４が表示される。言い換えれば、プリント注文された原画像データに対応する表示用基本画像を含む選択ボタン４４が表示される。プリント注文された原画像データが８つ以上、つまり、選択ボタン４４を８個以上表示する必要がある場合は、プラスボタン４６ａあるいはマイナスボタン４６ｂを押すことによって、代表画像選択画面４２に表示される選択ボタン４４ひいては表示用基本画像が変更される。
【００４７】
つづいて、顧客によって、いずれかの選択ボタン４４が押されることで、ＣＰＵ１２ａは当該選択ボタン４４に対応する表示用基本画像データを選択し、当該表示用基本画像データに所定の補正を施し、表示用補正画像データを生成する（ステップＳ１３）。
ステップＳ１３では、ＣＰＵ１２ａの指示に従って、ＨＤＤ１６からコントラスト調整、色濃度調整、色調調整を行うための画像処理（補正）プログラムと当該補正プログラムによる補正量を定めたテーブルデータが読み出される。そして、ＣＰＵ１２ａによって、選択された表示用基本画像データに、所定の補正量のコントラスト調整、色濃度調整、色調調整がそれぞれ施され、複数の表示用補正画像データが生成される。
【００４８】
具体的に、コントラスト調整が施された表示用補正画像データとして、表示用基本画像データに対してコントラストが所定量強められたコントラスト（強）データおよびコントラストが所定量弱められたコントラスト（弱）データが生成される。同様に、色濃度調整が施された表示用補正画像データとして、表示用基本画像データに対して赤色、緑色、青色の色濃度が所定量濃く設定された色濃度（大）データおよび赤色、緑色、青色の色濃度が所定量淡く設定された色濃度（小）データが生成される。また、色調調整が施された表示用補正画像データとしては、表示用基本画像データに対して赤色が所定量強められた色調（赤）データ、緑色が所定量強められた色調（緑）データ、および青色が所定量強められた色調（青）データが生成される。
【００４９】
つづいて、選択された表示用基本画像データに対応する表示用基本画像と生成された７つの表示用補正画像データにそれぞれ対応する７つの表示用補正画像とのうち、顧客に好みの画像を選択させるための好み画像選択画面４８（図６参照）がタッチパネル式ディスプレイ１８に表示される（ステップＳ１５）。図６では、代表画像選択画面４２において左上隅の選択ボタン４４（表示用基本画像）が押された場合の好み画像選択画面４８が示されている。
【００５０】
ステップＳ１５において、タッチパネル式ディスプレイ１８に表示される好み画像選択画面４８には、図６に示すように、表示用基本画像をボタンイメージとして表示する選択ボタン５０ａと７つの表示用補正画像をそれぞれボタンイメージとして表示する７つの選択ボタン５０ｂとが表示される。選択ボタン５０ａには、表示用基本画像に加えて、「補正なし」というテキストが表示される。また、各選択ボタン５０ｂには、表示用補正画像に加えて、それぞれ対応する表示用補正画像データを生成するために表示用基本画像データに施された補正の内容を表すテキストが表示される。
【００５１】
顧客によっていずれかの選択ボタン５０ｂが押された場合、つまり、いずれかの表示用補正画像が選択された場合（ステップＳ１７でＹＥＳの場合）、ＣＰＵ１２ａは、ステップＳ１３で当該選択ボタン５０ｂに対応する表示用補正画像データを生成するために表示用基本画像データに施した補正の設定データおよびステップＳ５で表示用基本画像データを生成するために原画像データに施した基本補正の設定データを補正画像プリント設定データとして取得し、ＲＡＭ１２ｃに保持する（ステップＳ１９）。つまり、原画像データに基づく画像に所定の補正が施された補正画像のプリントを作製するという補正画像プリント設定データがＣＰＵ１２ａによって取得される。補正画像プリント設定データは、プリント注文された全ての原画像データに関連付けられ、ＲＡＭ１２ｃに保持される。
【００５２】
一方、顧客によって選択ボタン５０ａが押された場合、つまり、表示用基本画像が選択された場合（ステップＳ１７でＮＯの場合）、ＣＰＵ１２ａは、基本補正の設定データを基本画像プリント設定データとして取得し、ＲＡＭ１２ｃに保持する（ステップＳ２１）。つまり、原画像データに基づく画像に基本補正のみを施した基本画像のプリントを作製するという基本画像プリント設定データがＣＰＵ１２ａによって取得される。基本画像プリント設定データは、プリント注文された全ての原画像データに関連付けられ、ＲＡＭ１２ｃに保持される。
ステップＳ９で判断要求画面上で補正なしボタンが押された場合（ＮＯの場合）についても同様に、ステップＳ２１に移る。
【００５３】
つづいて、顧客情報が入力され、当該顧客情報に対応する顧客データが取得され（ステップＳ２３）、プリント注文を確定してもよいか否かを顧客に判断させるための図示しないプリント注文確認画面がタッチパネル式ディスプレイ１８に表示される（ステップＳ２５）。
【００５４】
ステップＳ２５で表示されるプリント注文確認画面は、たとえば、プリントサイズデータとプリント枚数設定データとに基づくプリント注文情報、プリント料金情報、ＹＥＳボタン、およびＮＯボタン等によって構成される。プリント注文確認画面上でＮＯボタンが押された場合（ステップＳ２７でＮＯの場合）、ステップＳ７に戻る。
【００５５】
一方、プリント注文確認画面上でＹＥＳボタンが押された場合（ステップＳ２７でＹＥＳの場合）、注文番号データと予め記憶されるプリント受付装置１０の端末ＩＤデータとに関連付けてＨＤＤ１６内にディレクトリ（フォルダ）が作成され、プリント注文された原画像データ、プリントサイズデータ、プリント枚数設定データ、基本画像プリント設定データあるいは補正画像プリント設定データ、および顧客データ等が当該フォルダ内に保存される（ステップＳ２９）。つづいて、受付証プリンタ２６から受付証４０が発行され（ステップＳ３１）、プリント注文受け付け処理が終了する。
【００５６】
その後、銀塩プリントを作製する場合、デジタル露光式プリント装置３００のコントローラ３０２の指示に従って、ステップＳ２９で作成されたフォルダ内の各種のデータがネットワーク２００経由でデジタル露光式プリント装置３００に送信される。そして、コントローラ３０２によって、基本画像プリント設定データあるいは補正画像プリント設定データに基づく画像処理が全ての原画像データに施され、各画像処理済み画像データに基づく画像が銀塩印画紙にそれぞれ形成されることによって、基本画像銀塩プリントあるいは補正画像銀塩プリントが作製される。
【００５７】
また、セルフプリントを作製する場合、ステップＳ２９で作成されたフォルダ内の各種データがＲＡＭ１２ｃ上に展開され、基本画像プリント設定データあるいは補正画像プリント設定データに基づく画像処理が全ての原画像データに施され、各画像処理済み画像データがセルフプリント装置１００に入力される。そして、セルフプリント装置１００において、各画像処理済み画像データに基づく画像が用紙にそれぞれ形成されることによって、基本画像セルフプリントあるいは補正画像セルフプリントが作製される。
【００５８】
なお、ＭＯ３２あるいはデジタルカメラ用メディア３４から原画像データを取得する場合についても、ＣＤ−Ｒ３０（ＣＤ−ＲＷ３０ａ）から原画像データを取得した場合と同様のプリント注文受け付け処理が行われる。カメラ付携帯電話３６から原画像データを取得する場合は、ステップＳ５でサムネイル化処理を施さないようにしてもよい。
【００５９】
また、ステップＳ９でＹＥＳの場合、所定の画像（たとえばステップＳ３でＲＡＭ１２ｃに最初に保持される原画像データに基づく先頭画像）を自動的に選択し、代表画像としてタッチパネル式ディスプレイ１８に表示させるようにしてもよい。そして、表示用基本画像と表示用補正画像との比較に自動的に選択された代表画像が適していないと顧客が判断する場合、代表画像選択画面４２をタッチパネル式ディスプレイ１８に表示させるようにしてもよい。
【００６０】
このようなプリント受付装置１０によれば、顧客に好み画像選択画面４８に表示される表示用基本画像と表示用補正画像とを比較させ、その時々の好みや感覚に応じて画像を選択させることによって、簡単に顧客が望むプリントをデジタル露光式プリント装置３００あるいはセルフプリント装置１００に作製させることができる。
【００６１】
また、コントラスト調整、色濃度調整、色調調整といった基本的な画像特性に関する補正が施された表示用補正画像と表示用基本画像とを好み画像選択画面４８に表示することによって、好みの画像を選択させる際に、顧客に迷わせることなく、効率よくプリント注文を行わせることができる。
【００６２】
また、基本画像プリント設定データあるいは補正画像プリント設定データがプリント注文された全ての原画像データに関連付けられるので、プリント注文された各原画像データにそれぞれ対応する表示用基本画像と表示用補正画像とを確認する必要がなく、顧客に効率よくプリント注文を行わせることができる。
【００６３】
さらに、代表画像選択画面４２に表示される表示用基本画像の中から最も確認したいと考える表示用基本画像を顧客に自由に選択させ、好み画像選択画面４８を表示することができ、顧客の満足度を向上させることができる。
【００６４】
なお、プリント受付装置１０では、デジタルカメラ用メディア３４に記録される画像データをＣＤ−ＲＷ３０ａあるいはＭＯ３２に書き込むといったサービスを提供することもできる。
【００６５】
また、デジタルカメラ用メディア３４の種類としては、スマートメディア、コンパクトフラッシュ（登録商標）等の様々な種類が考えられるが、メディアリーダ２４にセット可能なデジタルカメラ用メディア３４の種類は限定されない。複数種類のデジタルカメラ用メディア３４に対応するために、複数のメディアリーダ２４を設けてもよい。
【００６６】
また、プリント受付装置１０に用いられるメディアドライブは、ＣＤ−ＲＷドライブ２０およびＭＯドライブ２２に限定されず、ＤＶＤ−ＲＷドライブやＺＩＰ（登録商標）ドライブを用いるようにしてもよい。
また、プリント受付装置１０にスピーカを設け、音声案内機能を付加するようにしてもよい。
【００６７】
また、フラットベッドスキャナ３８に代えて、現像済みネガフィルムから画像データを読み取るフィルムスキャナをプリント受付装置１０に接続してもよい。
【００６８】
さらに、デジタル露光式プリント装置３００に代えて、ネットワーク２００を介してプリント受付装置１０にインクジェット式プリント装置を接続するようにしてもよい。
【図面の簡単な説明】
【００６９】
【図１】この発明が適用されるプリント受付装置の一例を示す斜視図解図である。
【図２】図１のプリント受付装置のブロック図である。
【図３】図１のプリント受付装置が用いられる画像処理システムの一例を示す図解図である。
【図４】図１のプリント受付装置の動作の一例を示すフロー図である。
【図５】タッチパネル式ディスプレイに表示される代表画像選択画面の一例を示す図解図である。
【図６】タッチパネル式ディスプレイに表示される好み画像選択画面の一例を示す図解図である。
【符号の説明】
【００７０】
１０      プリント受付装置
１２      コントローラ
１２ａ      ＣＰＵ
１６      ＨＤＤ
１８      タッチパネル式ディスプレイ
２０      ＣＤ−ＲＷドライブ
２２      ＭＯドライブ
２４      メディアリーダ
２８      ネットワークインターフェース
３０      ＣＤ−Ｒ
３２      ＭＯ
３４      デジタルカメラ用メディア
４２      代表画像選択画面
４４，５０ａ，５０ｂ      選択ボタン
４８      好み画像選択画面
【図１】
2005326476.tif 000003
【図２】
2005326476.tif 000004
【図３】
2005326476.tif 000005
【図４】
2005326476.tif 000006
【図５】
2005326476.tif 000007
【図６】
2005326476.tif 000008